(57)【要約】【課題】患者の身長に応じて前記バックレストに対する前記安頭台の伸長量を変えた状態で、該バックレストを起倒動しても、前後方向における患者の口腔位置が変化しないようにして、術者の治療行為をし易くする。【解決手段】コンターシート１３と、コンターシート１３に対して起倒可能なバックレスト１２と、バックレスト１２に設けられる安頭台１１と、バックレスト１２に対する安頭台１１の伸縮量を調整する安頭台伸縮量調整機構を有し、バックレスト１２の倒起に伴いコンターシート１３を前後進動させる歯科用治療椅子において、安頭台１１の伸縮量を検知する安頭台伸縮量検知部と、安頭台伸縮量検知部が検知した安頭台１１の伸縮量に応じて、コンターシート１３の前後進動量を制御する制御部とを備える。【選択図】図１
2011217870.tif 000002
【特許請求の範囲】
【請求項１】
コンターシートと、該コンターシートに対して起倒可能なバックレストと、該バックレストに設けられる安頭台と、該バックレストに対する該安頭台の伸縮量を調整する安頭台伸縮量調整機構を有し、該バックレストの倒起に伴い前記コンターシートを前後動させる歯科用治療椅子において、
前記安頭台の伸縮量を検知する安頭台伸縮量検知部と、
前記安頭台伸縮量検知部が検知した前記安頭台の伸縮量に応じて、前記コンターシートの前後進動量を制御する制御部とを備えたことを特徴とする歯科用治療椅子。
【請求項２】
前記制御部は、前記安頭台伸縮量検知部が検知した前記安頭台の伸長量が大きくなるに従って、前記コンターシートの前進動量を大きくすることを特徴とする請求項１に記載の歯科用治療椅子。
【発明の詳細な説明】
【技術分野】
【０００１】
本発明は、歯科用治療椅子、より詳細には、患者が座るコンターシートと、該コンターシートに対して起倒可能なバックレスト（背板）と、該バックレストに対する該安頭台の伸縮量を調整する安頭台伸縮量調整機構を有する歯科用治療椅子において、患者の身長（安頭台の伸縮量）に応じて前記バックレストの倒起と同時に前記コンターシートの前後進動量を制御することで、バックレストの倒起によって生じる（被治療位置である）口腔の前後方向のずれをなくすようにした歯科用治療椅子に関する。
【背景技術】
【０００２】
図６は、本発明が適用される歯科用治療椅子の一例を説明するための要部概略構成図で、図中、１０は歯科用治療椅子、１１は安頭台、１２はバックレスト、１３はコンターシート、１４はレッグレスト、１５はフットレスト（フットステップ）、１６は基台で、周知のように、常時は、起状態にあり、この状態で患者は、フットレスト（フットステップ）１５の上に乗って、その後、コンターシート１３に腰掛ける。その後、術者（ドクター）は、椅子を倒状態（寝状態）にして治療を行い、或いは、起状態にするとともに、椅子を上昇させて患者がうがいをしやすいようにする等、椅子１０を起状態、或いは、倒状態にして歯科治療を行う。
【０００３】
このような歯科用治療椅子１０においては、図７に示すように、バックレスト１２の倒起と同時にコンターシート１３を前後動させ、バックレスト１２の倒起によって生じる被治療位置である口腔の前後方向のずれをなくすようにしている。以下の説明では、図面右方向にコンターシート１３が移動する場合を前移動とし、図面左方向にコンターシート１３が移動する場合を後移動とする。
【０００４】
図７（Ａ）は、バックレスト１２が起状態にある状態を示す概略図、図７（Ｂ）は、バックレスト１２が倒状態にある状態を示す概略図である。図中、Ｋ１、Ｋ２は安頭台１１が実線で示す状態にある場合の患者の頭部、つまり、被治療部位である口腔位置を示す。なお、バックレスト１２が倒状態において、レッグレスト１４、フットレスト１５は床と平行になる。
【０００５】
このような歯科用治療椅子１０は、図７（Ａ）に示す起状態から図７（Ｂ）に示す倒状態に移行する時に、矢印Ａ方向にバックレスト１２を倒すと、バックレスト１２の倒動作と連動してコンターシート１３が矢印Ｂ方向に前移動する。そのため、患者の口腔位置Ｋ１、Ｋ２が、治療椅子の前後方向には移動することなく、起状態位置における患者の口腔位置Ｋ１と倒状態位置における患者の口腔位置Ｋ２とが治療椅子の前後方向に関して同じになる。
【０００６】
このような、バックレストの倒起と連動してコンターシートを前後動させ、バックレストの倒起にかかわらず、前後方向における患者の口腔位置が変化しないようにして、術者の治療行為をし易くする歯科用治療椅子が特許文献１に開示されている。
【先行技術文献】
【特許文献】
【０００７】
【特許文献１】特開２００５−３４２３３３号公報
【発明の概要】
【発明が解決しようとする課題】
【０００８】
ところで、このような歯科用治療椅子１０のコンターシート１３に背の高い患者が腰掛けて安頭台１１に患者の頭を載せる場合、背の高い患者は、図７（Ａ）に示すように、安頭台１１をバックレスト１２に対して伸長する（引き出す）。この安頭台１１を伸長した状態を２点鎖線で示す。Ｋ３、Ｋ４は、安頭台１１を伸長した状態（２点鎖線）にある場合の患者の頭部を示す。
【０００９】
このとき、前述したように、バックレスト１２の倒動作と連動してコンターシート１３が矢印Ｂ方向に前移動すると、バックレスト１２が起状態（図７（Ａ））にある場合の口腔位置は、Ｋ３の位置であるが、バックレスト１２が倒状態（図７（Ｂ））になるとＫ４の位置となる。
このように、バックレスト１２を倒状態にすることにより、口腔位置が後方向に距離Ｌだけずれる。
コンターシート１３に背の低い患者が腰掛けて安頭台１１に患者の頭を載せる場合、背の低い患者は、安頭台１１をバックレスト１２に対して縮める（短くする）。このように安頭台１１をバックレスト１２に対して縮めた状態から、バックレスト１２を倒状態にすると、口腔位置が前方向にずれる。
【００１０】
そのため、術者は、バックレスト１２の起倒に応じて前後方向に距離Ｌだけ移動しなければならず、特に、ドクターチェアに腰掛けて治療しているような場合、バックレストの起倒に伴ってドクターチェアを移動しなければならない。また、それに伴ってワークテーブルも移動しなければならず、非常に面倒であった。
【００１１】
本発明は、上述のごとき実情に鑑みてなされたもので、コンターシートと、該コンターシートに対して起倒可能なバックレストと、該バックレストに設けられる安頭台と、該バックレストに対する該安頭台の伸縮量を調整する安頭台伸縮量調整機構を有し、該バックレストの倒起に伴い前記コンターシートを前後動させる歯科用治療椅子において、患者の身長に応じて前記バックレストに対する前記安頭台の伸長量を変えた状態で、該バックレストを起倒動しても、前後方向における患者の口腔位置が変化しないようにして、術者の治療行為をし易くすることを目的としてなされたものである。
【課題を解決するための手段】
【００１２】
請求項１の発明は、コンターシートと、該コンターシートに対して起倒可能なバックレストと、該バックレストに設けられる安頭台と、該バックレストに対する該安頭台の伸縮量を調整する安頭台伸縮量調整機構を有し、該バックレストの倒起に伴い前記コンターシートを前後動させる歯科用治療椅子において、前記安頭台の伸縮量を検知する安頭台伸縮量検知部と、
前記安頭台伸縮量検知部が検知した前記安頭台の伸縮量に応じて、前記コンターシートの前後進動量を制御する制御部とを備えたことを特徴とする歯科用治療椅子である。
【００１３】
請求項２の発明は、請求項１に記載の発明において、前記制御部は、前記安頭台伸縮量検知部が検知した前記安頭台の伸長量が大きくなるに従って、前記コンターシートの前進動量を大きくすることを特徴とするものである。
【発明の効果】
【００１４】
本発明によると、患者の身長に応じて安頭台の伸縮量を変えた状態で、バックレストを起倒しても、被治療位置である患者の口腔位置が前後方向に移動しないので、術者は、起状態治療でも倒状態治療でも、同じ位置にいて治療を行うことができる。その結果、従来技術のように、安頭台の伸縮量を変えた場合、バックレストの起倒に応じて前後に移動する煩わしさがなく、より効果的に歯科治療を行うことができる。
【図面の簡単な説明】
【００１５】
【図１】本発明による歯科用治療椅子の動作例を説明するための要部概略構成図である。
【図２】安頭台伸縮量調整機構を説明するための概略構成図である。
【図３】コンターシートの前後動を電動モータにて行うようにした場合の一例を説明するための概念図である。
【図４】本発明による歯科用治療椅子において実行されるコンターシートの前進動量の制御を説明するための機能ブロック図である。
【図５】歯科用治療椅子の操作スイッチの例を示す図である。
【図６】本発明が適用される歯科用治療椅子の一例を説明するための要部概略構成図である。
【図７】従来の歯科用治療椅子の一動作例を説明するための概念図である。
【発明を実施するための形態】
【００１６】
図１は、本発明による歯科用治療椅子の動作例を説明するための要部概略構成図で、本発明においては、図１（Ａ）に示す起状態から、図１（Ｂ）に示す倒状態にすると、バックレスト１２の倒動作と連動してコンターシート１３が、矢印Ｂ方向に前方移動するが、このとき、安頭台の伸縮量に応じて、コンターシート１３の前進動量を制御する。このようにすることで、患者の口腔位置Ｋ３，Ｋ４は、治療椅子の前後方向には移動することなく、Ｋ３の起状態位置とＫ４の倒状態位置とが治療椅子の前後方向に関して同じになっている。
【００１７】
図２は、バックレスト１２に設けられた安頭台１１の伸縮量（引き出し量）を調整する安頭台伸縮量調整機構を説明するための概略構成図である。安頭台１１は、基台２１に取り付けられスライド部２２に沿って矢印Ｃ方向に移動可能であり、例えば、患者自らが安頭台１１を矢印Ｃ方向に移動させ安頭台１１の伸縮量を調整する。なお、操作スイッチ（図示しない）を操作することにより自動的に安頭台１１を矢印Ｃ方向に移動させてもよい。
【００１８】
また、スライド部２２に、コンプリング２３と共にエンコーダ２４が取り付けられている。
そして、安頭台１１の基台２１には、コンプリング２３のバネ２３ａの端部が取り付けられている。コンプリング２３は、安頭台１１の伸縮量を調整した状態を保持（維持）する機能を備えている。
安頭台１１が矢印Ｃ方向に移動すると、コンプリング２３におけるバネ２３ａの巻き取り量が変化する。エンコーダ２４はこの巻き取り量の変化を検知することにより、安頭台１１の伸縮量を検知する。
【００１９】
図３は、コンターシート１３の前後動を電動モータにて行うようにした場合の一例を説明するための概念図で、図中、３１は基台１６側に設けられたモータ、３２はコンターシート１３側に設けられたラック杆で、コンターシート１３は、例えば基台１６に設けられたレール上を前後方向に摺動移動可能なように取り付けられている。ラック杆３２は、下部にラック歯３２ａを有し、ラック歯３２ａはモータ３１の回転が伝達される歯車３３と噛合するようになっている。
図３では、コンターシート１３の前後動の駆動源として、モータを例示したが、他にも、油圧シリンダー、エアーシリンダー等、任意所望の動力源を用いて行うことができる。
【００２０】
図４は、本発明による歯科用治療椅子において実行されるコンターシート１３の前進動量の制御を説明するための機能ブロック図で、図中、４１は操作部、４２は安頭台伸縮量検知部、４３はシート移動量検知部、４４は制御部である。なお、安頭台１１、バックレスト１２等の歯科用治療椅子１０の構成部品については省略している。
【００２１】
操作部４１は、歯科用治療椅子１０のバックレスト１２の起倒等を指示する図５に示すような操作スイッチを有し、スイッチＳ１を押すとバックレスト１２が起状態（図１（Ａ））となり、スイッチＳ２を押すと倒状態（図１（Ｂ））となる。なお、スイッチＳ３、Ｓ４は治療椅子を上下動させるものであり、スイッチＳ５、Ｓ６は治療椅子を傾動させるものである。
【００２２】
安頭台伸縮量検知部４２は、安頭台１１の伸縮量を検知する機能を有し、例えば、図２で説明したエンコーダ２４から構成される。
【００２３】
シート移動量検知部４３は、コンターシート１３の前後進動量を検知する。この前後進動量の検知方法としては、様々な方法を用いることができる。例えば、モータ３１の回転軸に連動する歯車３３の回転数を検知する。そして、検知した回転数に基づきコンターシート１３に設けられたラック杆３２の移動量を検知すれば、コンターシート１３の前後進動量を検知することができる。
他にも、図２で説明したように、コンプリングと共にエンコーダを基台１６に取り付け、コンスプリングのバネの端部をラック杆３２に取り付けてもよい。コンターシート１３が前動するとコンプリングにおけるバネの巻き取り量が変化する。エンコーダは、この巻き取り量の変化を検知することにより、コンターシート１３の前後進動量を検知することができる。
【００２４】
制御部４４は、モータ３１の回転制御、操作部４１、安頭台伸縮量検知部４２、シート移動量検知部４３の制御を実行すると共に、安頭台伸縮量検知部４２が検知した安頭台１１の伸縮量に応じて、コンターシート１３の前進動量を制御する。
例えば、倒スイッチＳ２を押した時に、図１に示すようにバックレスト１２が起状態（図１（Ａ））から倒状態（図１（Ｂ））になるが、同時に、制御部４４は、図３に示すモータ３１の回転軸を矢印Ｄ方向に回転（以下、正回転と記す）させる。モータ３１の回転軸の正回転に伴い歯車３が正回転することにより、コンターシート１３が前方に移動する。
【００２５】
このとき、制御部４４は、安頭台伸縮量検知部４２が検知した安頭台１１の伸長量が大きくなるに従って、コンターシート１３の前進動量を大きくする。
以下の説明では、安頭台１１は、バックレスト１２に対して最も縮んでいる状態（背の低い患者用）にセットされているとする。この状態において、安頭台伸縮量検知部４２が検知した安頭台１１の伸長量がＸ０ｃｍの場合、コンターシート１３の前進動量がＹ０ｃｍになるまで、モータ３１の回転軸を正方向に回転させる。前記Ｙ０は、安頭台１１の伸長量をＸ０にして、バックレスト１２を倒動した場合に、患者の口腔位置Ｋ３，Ｋ４が同じになるように予め調整された値である。
【００２６】
次に、背の高い患者が安頭台１１をバックレスト１２に対して伸ばした状態にセットする。この状態において、安頭台伸縮量検知部４２が検知した安頭台１１の伸長量がＸ１ｃｍの場合、コンターシート１３の前進動量がＹ１ｃｍになるまで、モータ３１の回転軸を正方向に回転させる。前記Ｙ１は、安頭台１１の伸長量をＸ１にして、バックレスト１２を倒動した場合に、患者の口腔位置Ｋ３，Ｋ４が同じになるように予め調整された値である。
なお、Ｘ０とＸ１との関係は、Ｘ０＜Ｘ１であり、Ｙ０とＹ１との関係は、Ｙ０＜Ｙ１である。
【００２７】
このようにすることで、安頭台１１の伸縮量を変えてバックレスト１２を起倒しても、前後方向における患者の口腔位置が変化しなくなり、術者は、治療を行いやすくなる。
【符号の説明】
【００２８】
１０…歯科用治療椅子、１１…安頭台、１２…バックレスト、１３…コンターシート、１４…レッグレスト、１５…フットレスト、１６…基台、２１…基台、２２…スライド部、２３…コンプリング、２３ａ…バネ、２４…エンコーダ、３１…モータ、３２…ラック杆、３２ａ…ラック歯、３３…歯車、４１…操作部、４２…安頭台伸縮量検知部、４３…シート移動量検知部、４４…制御部、Ｋ１〜Ｋ４…口腔位置、Ｓ１〜Ｓ６…スイッチ。
【図１】
2011217870.tif 000003
【図２】
2011217870.tif 000004
【図３】
2011217870.tif 000005
【図４】
2011217870.tif 000006
【図５】
2011217870.tif 000007
【図６】
2011217870.tif 000008
【図７】
2011217870.tif 000009